(57)【要約】【課題】踏み板の強度を低下させることがない、階段構造を提供する。【解決手段】階段構造１は、階段の踏み板１０を支持する階段構造であって、踏み板１０の階段の昇降方向と直交する方向の側縁を、上下方向から挟持する支持部材２０を備える。これにより、踏み板１０の厚みが薄くなる部分を形成することなく、踏み板１０を支持できるので、踏み板１０の強度を低下させることがない。【選択図】図２
2018123660.tif 000002
【特許請求の範囲】
【請求項１】
階段の踏み板を支持する階段構造であって、
前記踏み板の前記階段の昇降方向と直交する方向の側縁を、上下方向から挟持する支持部材を備える階段構造。
【請求項２】
上下方向に延び、前記踏み板を貫通し、上端側及び下端側が前記支持部材に挿入される棒状部材を、更に備える請求項１に記載の階段構造。
【請求項３】
前記支持部材は、
前記踏み板の前記階段の昇降方向における一端側に配置される第１支持部材と、
前記踏み板の前記階段の昇降方向における他端側に配置される第２支持部材と、を有する請求項１に記載の階段構造。
【請求項４】
ある段を形成する前記踏み板の他端側に配置される前記第２支持部材は、前記ある段の次の段を形成する前記踏み板の一端側に配置される前記第１支持部材である請求項３に記載の階段構造。
【請求項５】
前記支持部材には、
前記棒状部材が挿通される棒状部材挿通穴と、
前記棒状部材挿通穴の上端から、上り傾斜し、前記支持部材の外表面の接着剤注入口に至る連通穴と、が形成されており、
前記接着剤注入口から注入された接着剤により、棒状部材挿通穴に挿通された前記棒状部材を、前記支持部材に固着する請求項２に記載の階段構造。
【発明の詳細な説明】
【技術分野】
【０００１】
本発明は、階段の踏み板を支持する階段構造に関する。
【背景技術】
【０００２】
特許文献１にみられるように、複数の踏み板が壁状の支持面から突出する片持ち構造の階段において、踏み板の基端面と先端面を貫通する横孔を形成して、これに中孔を有するラグスクリューをねじ込み、壁状の支持面に、雌ネジを有する埋設体を埋め込んでおき、横孔にボルトを差し込んで雌ネジに螺合させることで、踏み板を支持面に固定させる階段構造が提案されている（特許文献１）。
この階段構造によれば、支持面が確保できれば、あらゆる場所に階段を設置できる。
【先行技術文献】
【特許文献】
【０００３】
【特許文献１】特開２００９−１６７７４４号公報
【発明の概要】
【発明が解決しようとする課題】
【０００４】
しかしながら、特許文献１の階段構造は、踏み板の基端面と先端面を貫通する横孔を形成するため、この横孔が形成された部分の板厚が薄くなり、踏み板自体の強度が低下し、踏み板に荷重が掛かった場合、この横孔が形成された部分から破損するおそれがある。
【０００５】
そこで、本発明では、上記の課題に鑑みて、踏み板の強度を低下させることがない、階段構造を提供することを目的とする。
【課題を解決するための手段】
【０００６】
本発明では、以下のような解決手段を提供する。
【０００７】
第一の特徴に係る発明は、
階段の踏み板を支持する階段構造であって、
前記踏み板の前記階段の昇降方向と直交する方向の側縁を、上下方向から挟持する支持部材を備える。
【０００８】
上記構成によれば、階段の踏み板を支持する階段構造は、支持部材が、踏み板の階段の昇降方向と直交する方向の側縁を、上下方向から挟持する。
【０００９】
これにより、踏み板の厚みが薄くなる部分を形成することなく、踏み板を支持できる。
したがって、踏み板の強度を低下させることがない、階段構造を提供できる。
【００１０】
第二の特徴に係る発明は、
上下方向に延び、前記踏み板を貫通し、上端側及び下端側が前記支持部材に挿入される棒状部材を、更に備える。
【００１１】
これにより、踏み板が支持部材の間から抜けるのを防止できる。
また、階段の組み立て作業において、例えば、予め適正な位置（設計位置）に、貫通孔を踏み板に形成し、支持部材に挿通穴を形成しておき、まず、下側の支持部材を配置し、この支持部材の挿通穴に棒状部材の下端側を挿入し、この棒状部材を貫通孔に挿入しながら踏み板を下側の支持部材の上に載置し、挿通部材を挿通穴に挿入しながら上側の支持部材を配置することで、適正な位置において、踏み板を支持部材で支持できる。よって、階段の組み立て作業が容易になる。
【００１２】
第三の特徴に係る発明は、
前記支持部材は、
前記踏み板の前記階段の昇降方向における一端側に配置される第１支持部材と、
前記踏み板の前記階段の昇降方向における他端側に配置される第２支持部材と、を有する。
【００１３】
これにより、踏み板を、昇降方向における一端側に配置された第１支持部材で支持でき、昇降方向における他端側に配置された第２支持部材で支持できるので、例えば、中央のみを支持部材で支持する場合に比べ、強度を向上できる。
【００１４】
第四の特徴に係る発明は、
ある段を形成する前記踏み板の他端側に配置される前記第２支持部材は、前記ある段の次の段を形成する前記踏み板の一端側に配置される前記第１支持部材である。
【００１５】
これにより、ある段を形成する踏み板の他端側に配置される第２支持部材と、ある段の次の段の一端側に配置される第１支持部材と、を兼用できるので、例えば、ある段の第２支持部材と、ある段の次の段の第１支持部材と、を別々に設けた場合に比べ、支持部材を設置するスペースや、支持部材を設置する手間や、支持部材の材料を低減できる。
【００１６】
第五の特徴に係る発明は、
前記支持部材には、
前記棒状部材が挿通される棒状部材挿通穴と、
前記棒状部材が挿通される棒状部材挿通穴と、
前記棒状部材挿通穴の上端から、上り傾斜し、前記支持部材の外表面の接着剤注入口に至る連通穴と、が形成されており、
前記接着剤注入口から注入された接着剤により、棒状部材挿通穴に挿通された前記棒状部材を、前記支持部材に固着する。
【００１７】
これにより、接着剤注入口から注入された接着剤が、連通穴から棒状部材が挿通されている棒状部材挿通穴に充填され、固化し、棒状部材を支持部材に固着するので、より強固に、踏み板を支持できる。
【発明の効果】
【００１８】
本発明によれば、踏み板の強度を低下させることがない、階段構造を提供することが可能となる。
【図面の簡単な説明】
【００１９】
【図１】図１は、本発明の好適な実施形態に係る階段構造の斜視図である。
【図２】図２は、本発明の好適な実施形態に係る階段構造の分解図である。
【図３】図３は、本発明の好適な実施形態に係る階段構造の施工手順を説明する図である。
【図４】図４は、本発明の好適な実施形態に係る階段構造の施工手順を説明する図である。
【図５】図５は、本発明の好適な実施形態に係る階段構造の施工手順を説明する図である。
【図６】図６は、本発明の好適な実施形態に係る階段構造の施工手順を説明する図である。
【図７】図７は、本発明の好適な実施形態の変形例に係る階段構造の斜視図である。
【図８】図８は、本発明の好適な実施形態の変形例に係る階段構造の分解図である。
【図９】図９は、本発明の好適な実施形態の応用例に係る階段構造の断面図である。
【発明を実施するための形態】
【００２０】
（好適の実施の形態）
以下、本発明を実施するための好適の形態について図を参照しながら説明する。なお、これはあくまでも一例であって、本発明の技術的範囲はこれに限られるものではない。
【００２１】
図１は、本発明の好適な実施形態に係る階段構造の斜視図である。
図２は、本発明の好適な実施形態に係る階段構造の分解図である。
本実施の形態の階段構造１は、階段の踏み板を支持し、踏み板１０と、支持部材２０と、棒状部材３０（図２参照）と、を備える。
【００２２】
踏み板１０は、階段の踏面を形成する板材であり、例えば、杉の集成材で形成されている。図１に示す例では、踏み板１０は、平面視で長方形形状に形成されているが、長方形形状に限らす、正方形形状や楕円形状等の任意の形状に形成してもよい。
踏み板１０が複数配置されることで、図１に示すような階段が構成されている。複数の踏み板１０は、階段の昇降方向において、所定の踏面寸法間隔で配置され、上下方向において、所定の蹴上げ寸法間隔で配置されている。
【００２３】
支持部材２０は、上下方向に延び、踏み板１０の階段の昇降方向と直交する方向の側縁を、上下方向から挟持する。詳細には、図２に示すように、支持部材２０は、踏み板１０の下に配置された下部材２０ａと、踏み板１０の上に配置された上部材２０ｂと、で踏み板１０の側縁近傍を挟持する。
【００２４】
支持部材２０は、断面が四角柱形状の角材で形成され、階段の昇降方向に沿って、所定間隔で複数配列されている。
本実施形態に示す例では、支持部材２０は、断面が四角柱形状の角材であり、例えば、杉で形成されているが、これに限らず、踏み板１０の側縁を上下方向から挟持できれば、任意の形状とすることができる。例えば、壁材に、踏み板１０の側縁を挿入可能な孔を形成し、この孔に踏み板１０の側縁を挿入することで、踏み板１０を支持する場合、壁材が支持部材として機能する。
【００２５】
また、図１に示す例では、支持部材２０は、例えば、平面視で長方形形状に形成された踏み板１０の２つの短辺方向の側縁のうち、一方の短辺方向の側縁のみを挟持しているが、これに限らす、両方の短辺方向の側縁を挟持してもよいし、長辺方向の側縁を挟持してもよい。
【００２６】
図２に示すように、支持部材２０は、踏み板１０の階段の昇降方向における一端側（階段の段鼻側）に配置される第１支持部材２１と、踏み板１０の前記階段の昇降方向における他端側（階段の蹴込み側）に配置される第２支持部材２２と、を有する。
【００２７】
また、ある段（図２中下側の段）を形成する踏み板１０（１０Ａ）の他端側（階段の蹴込み側）に配置される第２支持部材２２は、ある段の次の段（図２中上側の段）を形成する踏み板１０（１０Ｂ）の一端側（階段の段鼻側）に配置される第１支持部材２１としても機能する。
詳細には、図２に示す３本の支持部材２０の真ん中の支持部材２０を例に説明すると、ある段（図２中下側の段）を形成する踏み板１０（１０Ａ）の他端側（階段の蹴込み側）に配置される第２支持部材２２の上部材２２ｂは、ある段の次の段（図２中上側の段）を形成する踏み板１０（１０Ｂ）の一端側（階段の段鼻側）に配置される第１支持部材２１の下部材２１ａとなる。
【００２８】
棒状部材３０は、上下方向に延び、踏み板１０を貫通し、上端側及び下端側が支持部材２０に挿入される。棒状部材３０は、例えば、鉄筋棒（Ｄ１３等）で形成され、踏み板１０が支持部材２０に挟持されている部分毎に、４本ずつ設けられている。なお、棒状部材３０は、４本ずつに限らす、踏み板１０に要求される耐荷重に応じて、踏み板１０が支持部材２０に挟持されている部分毎に、１本、２本等の任意の数とすることができる。
【００２９】
棒状部材３０は、例えば、支持部材２０の下部材２０ａの上面に形成され、上下方向に延びる挿通穴に下端側が挿入され、踏み板１０に形成された貫通孔を貫通し、支持部材２０の上部材２０ｂの下面に形成され、上下方向に延びる挿通穴に上端側が挿入される。
また、棒状部材３０は、例えば、接着剤（エポキシ樹脂２液接着剤）と共に、上記挿通穴や貫通孔に挿入し、より強度を向上させてもよい。棒状部材３０は、鉄筋棒の他、ボルト、釘等を用いてもよい。接着剤は、エポキシ樹脂２液接着剤の他、各種液性の接着剤、酢酸ビニルエマルジョン、ゴム系接着剤、アクリル変成シリコーン樹脂等が用いられてもよい。
【００３０】
階段構造１は、例えば、踏み板１０をＣＬＴ（クロス・ラミネイティド・ティンバー）直交材を厚み５５ｍｍ×幅４００ｍｍ×長さ１０００ｍｍに形成し、支持部材２０を１０５ｍｍ角の杉材で形成し、棒状部材３０を長さ１５０ｍｍのＤ１３の鉄筋棒で形成し、第１支持部材２１及び第２支持部材２２にそれぞれ４本ずつの棒状部材３０をエポキシ樹脂とともに挿入した場合、踏み板１０の上面からの耐荷重は、１０００ｋｇとなる。
【００３１】
次に、階段構造１の施工手順について説明する。
図３から図６は、本発明の好適な実施形態に係る階段構造の施工手順を説明する図である。
まず、図３に示すように、施工者は、支持部材２０の下部材２０ａを設計とおりの所定位置に配置する。なお、支持部材２０は、柱や梁の構造体に支持させてもよいし、床、壁等に固定してもよい。また、施工者は、下部材２０ａの挿入穴に、棒状部材３０を接着剤とともに挿入する。
そして、施工者は、踏み板１０を、その貫通孔に、下部材２０ａに固定された棒状部材３０を挿通させて、下部材２０ａの上に配置する。
【００３２】
次に、図４に示すように、踏み板１０の貫通孔から突出している棒状部材３０を、接着剤とともに、支持部材２０の上部材２０ｂの挿通穴に挿通させる。これにより、階段構造１の１段目の踏み板１０が、支持部材２０に支持された状態となる。
【００３３】
次に、図５に示すように、施工者は、次の段の踏み板１０を、その貫通孔に、支持部材２０の下部材２０ａに固定された棒状部材３０を挿通させて、下部材２０ａの上に配置する。
そして、施工者は、１段目と同様に、踏み板１０の貫通孔から突出している棒状部材３０を、接着剤とともに、支持部材２０の上部材２０ｂの挿通穴に挿通させる。これにより、階段構造１の２段目の踏み板１０が、支持部材２０に支持された、図６に示す状態となる。
以上の手順を繰り返して、３段目以降を施工する。
【００３４】
（好適の実施の形態の変形例）
次に、好適の実施の形態の変形例について説明する。
図７は、本発明の好適な実施形態の変形例に係る階段構造の斜視図である。
図８は、本発明の好適な実施形態の変形例に係る階段構造の分解図である。
好適の実施の形態の変形例に係る階段構造１Ａは、主に支持部材２００の構成が、好適の実施の形態の支持部材２０（図２参照）と異なる。なお、以下の説明において、好適の実施の形態の階段構造１と同様の構成については、説明を省略又は簡略する。
【００３５】
階段構造１Ａは、踏み板１００と、支持部材２００と、棒状部材３０（図８参照）と、を備える。
図８に示すように、踏み板１００は、踏み板１０（図２参照）と同様の構成であるが、図８に示すように、支持部材２００に挟持される側の側縁の端部（階段の昇降方向の両端部）が欠き込まれている。
【００３６】
支持部材２００は、上限方向に延び、所定間隔で配置された一対の縦部材２１０と、一対の縦部材２１０の間に配置され、一対の縦部材２１０に固定され、踏み板１００の厚みと略同一の隙間を開けて配置された一対の横部材２２０と、を備える。
【００３７】
横部材２２０は、その横幅が、一対の縦部材２１０の外面間の寸法より小さい寸法で、一対の縦部材２１０の内面間の寸法より大きい寸法で形成されている。
一対の縦部材２１０の内面には、互いに対応する位置に、一対の横部材２２０の側縁（階段の昇降方向の側縁）がそれぞれ係合する欠き込み２１０ａが形成されている。
【００３８】
このような構成により、階段構造１Ａを施工する場合、施工者は、まず、一対の縦部材２１０を所定間隔で配置し、構造体や壁等に固定する。
次に、施工者は、一対の縦部材２１０の各欠き込み２１０ａに、一対の横部材２２０をそれぞれ挿入し、図８に示す状態にする。
【００３９】
そして、一対の横部材２２０の間に、踏み板１００の側縁を挿入し、階段の所定方向に沿って２本の棒状部材３０を、一対の横部材２２０及び踏み板１００に形成されている貫通孔、一対の縦部材２１０に形成されている挿通穴に、接着剤とともに挿通する。
これにより、図７に示す状態となる。
【００４０】
（好適の実施の形態の応用例）
次に、好適の実施の形態の応用例について説明する。
図９は、本発明の好適な実施形態の応用例に係る階段構造の断面図である。
好適の実施の形態の応用例に係る階段構造１Ｂは、主に支持部材２０Ｂの構成が、好適の実施の形態の支持部材２０（図２参照）と異なる。なお、以下の説明において、好適の実施の形態の階段構造１と同様の構成については、説明を省略又は簡略する。
【００４１】
階段構造１Ｂは、踏み板１０と、支持部材２０Ｂと、棒状部材３０と、を備える。
支持部材２０Ｂには、棒状部材３０が挿通される棒状部材挿通穴２３と、棒状部材挿通穴２３の上端から、上り傾斜し、支持部材２０Ｂの外表面の接着剤注入口２０Ｂａに至る連通穴２４と、が形成されている。
【００４２】
棒状部材挿通穴２３は、支持部材２０Ｂの下部材２０ａＢの上面に形成され、上下方向に延びる挿通穴と、踏み板１０に形成された貫通孔と、支持部材２０Ｂの上部材２０ｂＢの下面に形成され、上下方向に延びる挿通穴と、が連通した穴である。
棒状部材挿通穴２３は、その内径が、棒状部材３０の外径より大きい寸法（例えば、棒状部材３０がＤ−１３の異形鉄筋の場合、φ１８ｍｍ）で形成されている。
【００４３】
連通穴２４は、下端が棒状部材挿通穴２３の上端に連なり、棒状部材挿通穴２３と略同一の内径で形成され、上端が接着剤注入口２０Ｂａに至る。
【００４４】
棒状部材挿通穴２３には、接着剤注入口２０Ｂａから連通穴２４を介して、接着剤５０が充填される。この接着剤５０により、棒状部材挿通穴２３に挿通された棒状部材３０は、支持部材２０Ｂに固着される。
【００４５】
このような階段構造１Ｂによれば、施工者は、支持部材２０Ｂにより、踏み板１０を支持し、棒状部材挿通穴２３に棒状部材３０を挿通させた状態において、支持部材２０Ｂと踏み板１０との取り合い部分に、防水コーキング６０を施工する。これにより、棒状部材挿通穴２３に接着剤５０が充填された場合に、支持部材２０Ｂと踏み板１０との取り合い部分から、接着剤５０が漏れ出すのを防止できる。
【００４６】
そして、施工者は、接着剤注入口２０Ｂａから接着剤５０を注入し、連通穴２４を介して、棒状部材３０が挿通された棒状部材挿通穴２３に接着剤５０を充填し、固化させ、棒状部材３０を支持部材２０Ｂに固着させる。
【００４７】
以上、本発明の実施形態、変形例及び応用例について説明したが、本発明は上述したこれらの実施形態に限るものではない。また、本発明の実施形態、変形例及び応用例は、矛盾が無い限り、各構成を組み合わせることができる。また、本発明の実施形態、変形例及び応用例に記載された効果は、本発明から生じる最も好適な効果を列挙したに過ぎず、本発明による効果は、本発明の実施形態、変形例及び応用例に記載されたものに限定されるものではない。
【符号の説明】
【００４８】
１，１Ａ，１Ｂ  階段構造
１０  踏み板
２０，２０Ｂ  支持部材
２０ａ，２２ａ  下部材
２０ｂ，２２ｂ  上部材
２０Ｂａ  接着剤注入口
２１  第１支持部材
２２  第２支持部材
２３  棒状部材挿通穴
２４  連通穴
３０  棒状部材
５０  接着剤
６０  防水コーキング
１００  踏み板
２００  支持部材
２１０  縦部材
２１０ａ  欠き込み
２２０  横部材
【図１】
2018123660.tif 000003
【図２】
2018123660.tif 000004
【図３】
2018123660.tif 000005
【図４】
2018123660.tif 000006
【図５】
2018123660.tif 000007
【図６】
2018123660.tif 000008
【図７】
2018123660.tif 000009
【図８】
2018123660.tif 000010
【図９】
2018123660.tif 000011